(57)【要約】【課題】全方向から発光部が視認可能なリード用発光具及び巻き取り式リードを提供する。【解決手段】可撓性を有する長尺状の本体の幅方向両端に、幅方向両端を連結する連結部が設けられる。また、本体には、複数の発光部が設けられる。発光部は、本体の幅方向と略直交する長手方向の異なる位置に設けられ、複数の発光部のうちの少なくとも２つは、本体の幅方向の異なる位置に設けられる。【選択図】  図３
2015145933.tif 000002
【特許請求の範囲】
【請求項１】
可撓性を有する長尺状の本体と、
前記本体の幅方向両端に設けられ、前記幅方向両端を連結する連結部と、
前記本体に設けられた複数の発光部と、
を備え、
前記複数の発光部は、前記本体の幅方向と略直交する長手方向の異なる位置に設けられ、
前記複数の発光部のうちの少なくとも２つは、前記本体の幅方向の異なる位置に設けられる
ことを特徴とするリード用発光具。
【請求項２】
請求項１に記載のリード用発光具であって、
前記本体には、長手方向及び幅方向に異なる位置に複数の収納部を有し、
前記収納部には、前記発光部が設けられたフレキシブル基板が挿入される
ことを特徴とするリード用発光具。
【請求項３】
請求項１又は２に記載のリード用発光具であって、
明るさ検出部と、
振動検出部と、
前記明るさ検出部及び前記振動検出部の検出結果に基づいて、前記発光部を点灯させる信号を出力する出力部と、
前記出力部から出力された信号に基づいて前記発光部に電源を供給する通電部と、
を備えたことを特徴とするリード用発光具。
【請求項４】
請求項１から３のいずれか一項に記載のリード用発光具と、
透明なケースと、
前記ケース内に回転可能に設けられた、前記リードが巻き取られるリールと、
を備えたことを特徴とする巻き取り式リード。
【発明の詳細な説明】
【技術分野】
【０００１】
本発明は、リード用発光具及び巻き取り式リードに関する。
【背景技術】
【０００２】
特許文献１には、発光装置を内蔵した帯状の表示体の両端部に連結環を回動可能に支持し、この連結環の両端部に設けた開口を互いに結ぶ中心線の方向を、この表示体に対する連結環の回動操作に伴い、この連結環の回動中心線に対し直交する各方向のうち複数の方向へ変更し得るようにした発光式警告表示具が開示されている。
【先行技術文献】
【特許文献】
【０００３】
【特許文献１】特開２００６−１１１６０号公報
【発明の概要】
【発明が解決しようとする課題】
【０００４】
しかしながら、特許文献１に記載の発明では、発光部は１か所であるため、全方向から発光部を視認できない可能性がある。
【０００５】
本発明はこのような事情に鑑みてなされたもので、全方向から発光部が視認可能なリード用発光具及び巻き取り式リードを提供することを目的とする。
【課題を解決するための手段】
【０００６】
上記課題を解決するために、本発明に係るリード用発光具は、例えば、可撓性を有する長尺状の本体と、前記本体の幅方向両端に設けられ、前記幅方向両端を連結する連結部と、前記本体に設けられた複数の発光部と、を備え、前記複数の発光部は、前記本体の幅方向と略直交する長手方向の異なる位置に設けられ、前記複数の発光部のうちの少なくとも２つは、前記本体の幅方向の異なる位置に設けられることを特徴とする。
【発明の効果】
【０００７】
本発明によれば、全方向から発光部が視認可能なリード用発光具及び巻き取り式リードを提供することができる。
【図面の簡単な説明】
【０００８】
【図１】第１の実施の形態に係るリード用発光具１の使用状態を示す概略図である。
【図２】リード用発光具１の本体の全体図である。
【図３】リード用発光具１の詳細を示す図であり、（Ａ）は正面図であり、（Ｂ）は側面図である。
【図４】リード用発光具１が設けられたリードをケース内のリールに巻回した状態を示す図である。
【図５】リード用発光具１の電気的構成を示すブロック図である。
【図６】第２の実施の形態に係るリード用発光具２を示す図である。
【発明を実施するための形態】
【０００９】
以下、本発明の実施形態を、図面を参照して詳細に説明する。
【００１０】
＜第１の実施の形態＞
図１は、第１の実施の形態に係るリード用発光具１の使用状態を示す概略図である。リード用発光具１は、犬の散歩等に用いるリード２０に取り付けて使用するものである。なお、本実施の形態では、リード２０をケース３０のリール３１に巻き取り、所望の長さに繰り出せるようにした巻き取り式リードを例に説明するが、リード用発光具１は、巻き取り式ではないリードにも適用可能である。巻き取り式リードは、すでに公知であるため、詳細な説明を省略する。
【００１１】
リード用発光具１は、主として、本体１０と、発信部１６と、操作ユニット１５とを有する。発信部１６は、犬の首輪等に設けられる。操作ユニット１５は、ケース３０に設けられる。操作ユニット１５及び発信部１６については、後に詳述する。
【００１２】
図２は、本体１０の全体図である。本体１０は、可撓性を有し、透明又は半透明の樹脂、例えばアクリル樹脂で形成される。本体１０は、幅方向（図２横方向）が短い長尺状に形成される。
【００１３】
本体１０の幅方向両端には、それぞれ連結部１１が設けられる。連結部１１は、例えば面ファスナーであり、一方は小さなループが設けられたル−プ面であり、他方は細かいカギ状部材が設けられたフック面である。そのため、２個の連結部１１を連結することが可能である。なお、連結部１１は、面ファスナーに限定されず、例えばスナップボタン、線ファスナー、かぎホック等の２個の連結部１１を連結することが可能なさまざまな機構を用いることができる。
【００１４】
本体１０には、フレキシブル基板１２が複数設けられる。フレキシブル基板１２は、主として、フレキシブル基板１２ａ、１２ｂ、１２ｃ、１２ｄを有する。詳細は図示しないが、フレキシブル基板１２ａ、１２ｂ、１２ｃ、１２ｄは、電気的に接続されている。
【００１５】
フレキシブル基板１２には、複数のＬＥＤ１３が設けられる。本実施の形態では、フレキシブル基板１２ａには、３個のＬＥＤ１３ａが設けられ、フレキシブル基板１２ｂには、３個のＬＥＤ１３ｂが設けられ、フレキシブル基板１２ｃには、３個のＬＥＤ１３ｃが設けられ、フレキシブル基板１２ｄには、３個のＬＥＤ１３ｄが設けられる。なお、本実施の形態では、発光部としてＬＥＤ１３を用いたが、発光部はＬＥＤに限られない。
【００１６】
フレキシブル基板１２ａ、１２ｂ、１２ｃ、１２ｄは、それぞれ、本体１０の長手方向（幅方向と略直交する方向、図２縦方向）の異なる位置に設けられる。また、ＬＥＤ１３ａ、１３ｂ、１３ｃ、１３ｄは、フレキシブル基板１２ａ、１２ｂ、１２ｃ、１２ｄの長手方向の異なる位置に設けられる。また、フレキシブル基板１２ａ、１２ｂ、１２ｃ、１２ｄは、それぞれ、本体１０の幅方向の異なる位置に設けられる。
【００１７】
フレキシブル基板１２は、ＬＥＤ１３が本体１０と当接するように、本体１０の裏面（図２における紙面裏側）に設けられる。フレキシブル基板１２は、接着等により本体１０と一体化される。本体１０が透明又は半透明であるため、ＬＥＤ１３を本体１０の表面から視認可能である。
【００１８】
また、本体１０には、フレキシブル基板１４が設けられる。詳細は図示しないが、フレキシブル基板１４は、フレキシブル基板１２ｄ、すなわちフレキシブル基板１２及び図示しない電源（例えば、ボタン電池）と電気的に接続されている。フレキシブル基板１４については、後に詳述する。
【００１９】
図３は、リード用発光具１の詳細を示す図であり、（Ａ）は正面図であり、（Ｂ）は側面図（図３（Ａ）のＢ−Ｂ断面図）である。
【００２０】
図３（Ａ）、（Ｂ）に示すように、本体１０の裏面が内側（リード２０側）に位置するように、本体１０をリード２０に巻回させて、連結部１１を連結する。これにより、本体１０がリード２０に取り付けられる。
【００２１】
この時、本体１０の表面が外側に露出する。本実施の形態では、フレキシブル基板１２を本体１０の裏面に設けるため、使用状態においてフレキシブル基板１２が風雨に当たらず、耐久性を高めることができる。
【００２２】
図３（Ａ）に示すように、本体１０の長手方向全体に亘ってＬＥＤ１３が設けられるため、ＬＥＤ１３を点灯させたときに本体１０全体を光らせることができる。また、図３（Ｂ）に示すように、フレキシブル基板１２ａ、１２ｂ、１２ｃ、１２ｄ、すなわちＬＥＤ１３ａ、１３ｂ、１３ｃ、１３ｄは、本体１０をリード２０に巻回した時に、周方向の異なる位置に配置されるため、リード２０の周方向の全ての方向からＬＥＤ１３を視認することができる。
【００２３】
図４は、リード用発光具１が設けられたリード２０をリール３１に巻回した状態を示す図である。本体１０は長尺状であり、ＬＥＤ１３は本体１０の長手方向全体に亘って設けられているため、リード用発光具１が設けられたリード２０をリール３１に巻回すると、ＬＥＤ１３がリール３１の周りに複数配置される。ケース３０を透明又は半透明な材料（例えばアクリル樹脂）で形成することで、ＬＥＤ１３が点灯した時に光がケース３０の外に発光される。その結果、ケース３０をライトとして使用することができる。
【００２４】
図５は、リード用発光具１の電気的構成を示すブロック図である。フレキシブル基板１４と、操作ユニット１５と、発信部１６とは無線により、相互に通信することができる。また、フレキシブル基板１４、操作ユニット１５、及び発信部１６は、それぞれ図示しない電源を有する。
【００２５】
フレキシブル基板１４は、主として、通電部１４１と、振動検出部１４２と、送受信部１４３と、明るさ検出部１４４と、を有する。通電部１４１は、操作ユニット１５から受信した信号に基づいて、図示しない電源からＬＥＤ１３へ電源を供給する。振動検出部１４２は、本体１０の振動を検出するセンサであり、例えば公知の加速度センサを用いることができる。送受信部１４３は、振動検出部１４２における検出結果を操作ユニット１５に出力する。また、送受信部１４３は、操作ユニット１５から出力された信号を受信する。
【００２６】
明るさ検出部１４４は、ケース３０の周囲の明るさを検出するものであり、例えば公知のフォトセンサを使用することができる。
【００２７】
操作ユニット１５は、主として、点灯信号出力部１５１と、操作スイッチ部１５２と、送受信部１５３と、電波受信部１５４とを有する。
【００２８】
点灯信号出力部１５１は、振動検出部１４２で検出された結果、明るさ検出部１４４で検出された結果、発信部１６から発信された結果等に基づいて、ＬＥＤ１３を点灯させるための信号を出力する。具体的には、点灯信号出力部１５１は、振動検出部１４２により所定の閾値以上の振動が検出され、かつ明るさ検出部１４４により所定の閾値以下の明るさであることが検出された場合には、ＬＥＤ１３を点灯させるための信号を出力する。また、点灯信号出力部１５１は、発信部１６からの信号がケース３０の前方から発信されている場合（後に詳述）に、ＬＥＤ１３を点灯させるための信号を出力する。また、点灯信号出力部１５１は、操作スイッチ部１５２によりＬＥＤ１３を点灯させる指示が入力された場合には、ＬＥＤ１３を点灯させるための信号を出力する。
【００２９】
ＬＥＤ１３を点灯させるための信号は、デジタル信号でもアナログ信号でもよい。フレキシブル基板１４に含まれる電源は、ＬＥＤ１３を点灯させる信号を受信すると、ＬＥＤ１３へ電源を供給する。当該機能はすでに一般的であるため、説明を省略する。
【００３０】
点灯信号出力部１５１のこれらの機能は、すでに公知の技術を用いて実現可能であるため、説明を省略する。
【００３１】
操作スイッチ部１５２は、ケース３０を把持するユーザーの操作を受け付けてＬＥＤ１３を点灯及び消灯する。
【００３２】
送受信部１５３は、送受信部１４３から出力された信号を受信する。また、送受信部１５３は、点灯信号出力部１５１が出力したＬＥＤ１３を点灯させるための信号を、フレキシブル基板１４へ出力する。
【００３３】
電波受信部１５４は、図示しないアンテナ等を有し、発信部１６から送信された電波を受信する。アンテナは、ケース３０の前方（把持部が形成されていない方向）からの電波が受信される向きに設けられている。したがって、電波受信部１５４は、発信部１６からの電波がケース３０の前方から発信された場合のみ電波を受信する。電波受信部１５４としては、すでに公知の技術を用いることができるため、説明を省略する。
【００３４】
発信部１６は、アンテナと一体となった小型の無線送信機である。発信部１６は、定期的に微弱な電波を送信する。発信部１６は、すでに公知の技術を用いることができるため、説明を省略する。
【００３５】
フレキシブル基板１４及び操作ユニット１５は、主として、演算装置であるＣＰＵと、揮発性の記憶装置であるＲＡＭと、不揮発性の記憶装置であるＲＯＭと、他のユニットを接続するインターフェイス（Ｉ／Ｆ）回路と、外部の装置（例えば、デジタルカメラ等）と通信を行う通信装置等を有する装置を用いて実現可能である。また、フレキシブル基板１４及び操作ユニット１５の各機能部は、例えば、ＲＯＭに格納された所定のプログラムをＲＡＭに読み出して実行することにより実現可能である。さらに、フレキシブル基板１４、操作ユニット１５及び発信部１６の構成は、第１の実施の形態の特徴を説明するにあたって主要構成を説明したのであって、上記の構成に限られない。
【００３６】
本実施の形態によれば、汎用リードに取り付け可能なリード用発光具１を提供することができる。また、本体の幅方向両端に連結部として面ファスナーを設けているため、様々な太さのリードに対応することができる。
【００３７】
また、本実施の形態によれば、リード用発光具の本体１０の長手方向全体に亘ってＬＥＤ１３が設けられるため、本体１０をリードに取り付けてＬＥＤ１３を点灯させたときに、リード２０を長い範囲で光らせることができる。また、本体１０をリード２０に巻回した時に、ＬＥＤ１３が周方向の異なる位置に配置されるため、リード２０の周方向の全ての方向からＬＥＤ１３を視認することができる。さらに、リール３１に巻回されたＬＥＤ１３を点灯させることで、ケース３０をライトとして使用することができる。
【００３８】
なお、本実施の形態では、フレキシブル基板１２ａ、１２ｂ、１２ｃ、１２ｄが電気的に接続されていたが、フレキシブル基板１２ａ、１２ｂ、１２ｃ、１２ｄは電気的に導通されていなくてもよい。この場合には、フレキシブル基板１２ａ、１２ｂ、１２ｃ、１２ｄのそれぞれに電源とフレキシブル基板１４とを設けるようにすればよい。
【００３９】
また、本実施の形態では、フレキシブル基板１２及びフレキシブル基板１４が本体１０の裏面に設けられていたが、フレキシブル基板１２及びフレキシブル基板１４が設けられるのは本体１０の裏面に限られない。例えば、フレキシブル基板１２及びフレキシブル基板１４が本体１０の表面に設けられてもよい。また、本体が２枚のシートを有し、フレキシブル基板１２及びフレキシブル基板１４が２枚のシートの間に設けられてもよい。なお、本実施の形態では、本体１０の裏面にフレキシブル基板１２及びＬＥＤ１３を取り付けるため、透明又は半透明の樹脂を使用したが、フレキシブル基板１２及びＬＥＤ１３を表面に取り付ける場合には、本体１０は透明又は半透明でなくてもよい。
【００４０】
また、本実施の形態では、ＬＥＤ１３がフレキシブル基板１２に設けられ、フレキシブル基板１２が本体１０に設けられたが、リード線等で電気的に接続されたＬＥＤ１３を直接本体１０に設けてもよい。
【００４１】
また、本実施の形態では、断面が丸いリード２０にリード用発光具１を取り付けたが、断面が矩形状（板状）のリードにリード用発光具１を取り付けることもできる。
【００４２】
また、本実施の形態では、ＬＥＤ１３を長手方向に１２個設けたが、ＬＥＤ１３の数はこれに限られず、複数であればよい。また、本実施の形態では、ＬＥＤ１３を３個ずつ、本体１０の幅方向の異なる位置に設けたが、少なくとも２個のＬＥＤ１３が本体１０の幅方向の異なる位置に設けられればよい。例えば、ＬＥＤが２個であり、それぞれが本体１０の長手方向及び幅方向の異なる位置に設けられてもよい。
【００４３】
さらに、本実施の形態では、電波受信部１５４は、発信部１６から送信された電波を受信したが、電波受信部１５４の代わりに光受信部を設け、首輪等に設けられた発光部からの光を光受信部が受信するようにしてもよい。発光部としては、赤外線が発光可能な光源（例えば赤外ＬＥＤ）を用い、レンズ等により所定の方向（例えば、首輪から後方）にだけ光を発光するようにしたものを用いることができる。受光部としては、赤外線が受光可能なさまざまな受光素子を用いることができる。
【００４４】
＜第２の実施の形態＞
第１の実施の形態では、フレキシブル基板１２は接着等により本体１０と一体化されたが、フレキシブル基板１２を本体１０に設ける方法はこれに限られない。
【００４５】
図６は、第２の実施の形態に係るリード用発光具２を示す図である。以下、リード用発光具２について説明する。なお、リード用発光具１と同一の部分については、説明を省略する。
【００４６】
リード用発光具２の本体１０Ａには、複数の収納部１０ａ、１０ｂ、１０ｃ、１０ｄが形成される。それ以外の部分については、本体１０Ａは本体１０と同一であるため、説明を省略する。
【００４７】
収納部１０ａ、１０ｂ、１０ｃ、１０ｄには、それぞれフレキシブル基板１２ａ−１、１２ｂ−１、１２ｃ−１、１２ｄ−１が設けられる。収納部１０ａ、１０ｂ、１０ｃ、１０ｄは開口を有し、この開口からフレキシブル基板１２ａ−１、１２ｂ−１、１２ｃ−１、１２ｄ−１が挿入される。
【００４８】
フレキシブル基板１２ａ−１、１２ｂ−１、１２ｃ−１、１２ｄ−１は、それぞれフレキシブル基板１４ａ、１４ｂ、１４ｃ、１４ｄ及び図示しない電源と電気的に接続される。それ以外の部分については、フレキシブル基板１２ａ−１、１２ｂ−１、１２ｃ−１、１２ｄ−１はフレキシブル基板１２ａ、１２ｂ、１２ｃ、１２ｄと同一であるため、説明を省略する。また、フレキシブル基板１４ａ、１４ｂ、１４ｃ、１４ｄはフレキシブル基板１４と同一であるため、説明を省略する。
【００４９】
収納部１０ａ、１０ｂ、１０ｃ、１０ｄは、本体１０Ａの表面に形成してもよいし、裏面に形成してもよい。本体１０Ａの表面に形成する場合には、防水性を持たせるため、収納部１０ａ、１０ｂ、１０ｃ、１０ｄの開口を覆う部材を設けることが望ましい。
【００５０】
本実施の形態によれば、収納部にフレキシブル基板１２を収納するか否か、収納部に収納するフレキシブル基板を変えること等により、様々な位置にＬＥＤ１３を設けることができる。したがって、ユーザーの好みで合わせたリード用発光具を提供することができる。
【００５１】
また、本実施の形態によれば、複数の収納部を設けたことにより、様々な色を発光さえることができる。例えば、収納部１０ａ、１０ｂ、１０ｃ、１０ｄにそれぞれ収納するフレキシブル基板１２ａ−１、１２ｂ−１、１２ｃ−１、１２ｄ−１に設けられたＬＥＤ１３の色を異ならせることにより、様々に色を組み合わせることができる。また、フレキシブル基板１２ａ−１、１２ｂ−１、１２ｃ−１、１２ｄ−１は交換可能であるため、ユーザーの好みにより色を変えることができる。
【００５２】
また、本実施の形態によれば、フレキシブル基板１２ａ−１、１２ｂ−１、１２ｃ−１、１２ｄ−１のいずれかが故障等した場合に、故障した基板のみを交換すればよい。したがって、本体１０Ａを全交換することなく、故障等に対応することができる。
【００５３】
以上、この発明の実施形態を、図面を参照して詳述してきたが、具体的な構成はこの実施形態に限られるものではなく、この発明の要旨を逸脱しない範囲の設計変更等も含まれる。例えば、リード用発光具１、２を、面ファスナー等を用いて、長手方向に複数連結可能に構成してもよい。
【符号の説明】
【００５４】
１、２：リード用発光具、１０、１０Ａ：本体、１０ａ、１０ｂ、１０ｃ、１０ｄ：収納部、１１：連結部、１２、１２ａ、１２ｂ、１２ｃ、１２ｄ、１２ａ−１、１２ｂ−１、１２ｃ−１、１２ｄ−１：フレキシブル基板、１３、１３ａ、１３ｂ、１３ｃ、１３ｄ：ＬＥＤ、１４、１４ａ、１４ｂ、１４ｃ、１４ｄ：フレキシブル基板、１５：操作ユニット、１６：発信部、２０：リード、３０：ケース、３１：リール、１４１：通電部、１４２：振動検出部、１４３：送受信部、１４４：明るさ検出部、１５１：点灯信号出力部、１５２：操作スイッチ部、１５３：送受信部、１５４：電波受信部
【図１】
2015145933.tif 000003
【図２】
2015145933.tif 000004
【図３】
2015145933.tif 000005
【図４】
2015145933.tif 000006
【図５】
2015145933.tif 000007
【図６】
2015145933.tif 000008